(57)【要約】      （修正有）【課題】人の手が不適当にハブ本体を操作する可能性を払拭し、またハブの圧迫による損壊を防止することができるコード巻取りローラのハブ収容に用いる装置を提供する。【解決手段】巻取りスプリングを具えた回転ローラー体を収容したハブ１０、連続状信号線３０、収容槽５２を具えた台体５０からなる。ハブは、左、右ケース１２，１６により構成し、ローラー体は、コード収納ローラー面を具え、信号線は適当な中間位置の固定部でコード収納ローラー面間の適当な位置を係合し、相互に反対方向にコード収納ローラー面上において信号線コードを巻き取って、上、下部線３３，３６とし、台体の収容槽底部から下部線を引き出し、上、下部線はコード収納ローラー面において引き出され、使用しないときには巻き取られてハブは該収容槽中に収納される。【選択図】図１
0003106207.tif 000002
【実用新案登録請求の範囲】
【請求項１】
ハブ、回転ローラー体、信号線、台体からなり、
該ハブは、左、右ケース体、回転ローラー体及び軸部により構成し、
該回転ローラー体は、巻き戻しスプリング部材を具えて軸部を軸心として回転し、少なくとも２個以上のＡ、Ｂコード収納ローラー面を具え、
該信号線は、適宜の位置に固定部を設けて該Ａ、Ｂコード収納ローラー面間において係合して上、下部線を形成することにより該Ａ、Ｂコード収納ローラー面上において相互に反対方向にコードを巻き取されるように構成され、
該台体は、収容槽を具え、該収容槽内部にはコード引き出し孔を具えて該下部線を引き出し、該上、下部線は該Ａ、Ｂコード収納ローラー面において巻取り収納されたとき、該ハブは下部線の巻き取りに伴って該収容槽中に収納され、露出しない状態で定位されることを特徴とするコード巻取りリールのハブ収容に用いる装置。
【請求項２】
前記Ａコード収納ローラー面の直径は、前記Ｂコード収納ローラー面の直径より大きいことを特徴とする請求項１記載のコード巻取りリールのハブ収容に用いる装置。
【請求項３】
前記Ａコード収納ローラー面の直径は、前記Ｂコード収納ローラー面の直径と同等であることを特徴とする請求項１記載のコード巻取りリールのハブ収容に用いる装置。
【請求項４】
前記Ａコード収納ローラー面の直径は、前記Ｂコード収納ローラー面の直径より小さいことを特徴とする請求項１記載のコード巻取りリールのハブ収容に用いる装置。
【請求項５】
前記台体は、マウスのコード出口端を直接形成し、前記下部線の電気接続固定端は該マウスの内部構造上に直接固定し、前記上部線の外端はプラグに接続し、ハブは前記収容槽中に収納されることを特徴とする請求項１記載のコード巻取りリールのハブ収容に用いる装置。
【請求項６】
前記台体は、バッテリーチャージャーの内部又は出口端に直接形成し、前記収容槽の槽口は該バッテリーチャージャーの端部に位置し、前記下部線の電気接続固定端は該バッテリーチャージャーの内部構造上に直接固定し、前記上部線の外端にプラグを接続し、ハブは前記収容槽中に収納されることを特徴とする請求項１記載のコード巻取りリールのハブ収容に用いる装置。
【請求項７】
前記下部線の適当な位置を挟持体により前記コード引き出し孔中において固定し、これにより、前記下部線の固定端とすることを特徴とする請求項１記載のコード巻取りリールのハブ収容に用いる装置。
【請求項８】
前記台体の後壁面には弾力クリップを設置し、該クリップにより衣服上に取り付けるようにしたことを特徴とする請求項１記載のコード巻取りリールのハブ収容に用いる装置。
【請求項９】
前記上部線の外端にはイヤホーンマイク又はイヤホーンを接続し、前記下部線の外端には端子プラグを接続したことを特徴とする請求項１記載のコード巻取りリールのハブ収容に用いる装置。
【請求項１０】
前記上部線及び前記下部線の外端にはそれぞれＵＳＢコネクタを接続したことを特徴とする請求項１記載のコード巻取りリールのハブ収容に用いる装置。
【請求項１１】
前記回転ローラー体の内部の側凹槽中にスプリングを接続し、該スプリングの内接続端を前記軸部上に固定して回転ローラー体の巻き戻しスプリング部材を構成したことを特徴とする請求項１記載のコード巻取りリールのハブ収容に用いる装置。
【請求項１２】
前記台体の側面には首下げ型ストラップを設けて人の首後部に掛けられるようにしたことを特徴とするコード巻取りリールのハブ収容に用いる装置。
【考案の詳細な説明】
【技術分野】
【０００１】
本考案はコードリールのハブ収容に用いる装置に関する。特に一種の収容槽を具えた台体内に収容され、ハブを使用しない時に定位が可能で、しかも外部に露出せず、圧迫によるハブの損壊を防止することができるハブ収容に用いる装置に係る。
【背景技術】
【０００２】
公知の通信用コード収納用コードリールのハブの典型な例として、台湾特許公告第５３９３２１号の「受話器を持つ必要のないコードリール構造」があるが、該構造は一本の信号線を上、下部線材に区分する方式により、一定の直径のローラー上に巻きつけるものである。該構造においてはイヤホーンのコードが引き出された時、該ローラーは軸部を軸心とし一回転し、該イヤホーンのコードの引き出された長さと下方端子プラグコードの引き出された長さを同一とする。該イヤホーンのコードが引き出された時、「ハブ本体」全体は上、下部線間において相対的に移動するため、長期間の使用により以下のような欠点が発生する。
(1).使用者の操作が不適当であれば、ハブ本体全体が手で外へと引き出されるため、下部線だけが引き出され、上部線は引き出されない状態となる。しかし、この状況でもローラーは回転運動を持続するため、上部線は全てローラー上のコード収納空間において繰り出されて絡まってしまい、コードが詰まり易い。特に使用者がこのような状態から逃れようとして無理に引き出そうとすると、しばしば未だ引き出されていない上部線が引っかかってしまう。こうして上部線の絡まりを招き、さらに力を入れて引くと線材の破損或いはハブ構造の損壊を招く。
(2).ハブを使用しない時も該ハブは露出し、しかも線材も露出しているため、圧迫され或いは硬い物と接触し損壊し易い(バックの中に収納している時など)。
(3).該ハブを電気製品（コンピュータサーバ或いはマウス或いはバッテリーチャージャーなど）と電源間において使用する場合、或いは電気製品（コンピュータサーバなど）と電気製品間においてコード接続のために使用する場合に、上、下部線材がハブ中に収納される時（すなわち未使用状態）にも、同様に上記のような欠点が発生する。またハブ全体が外部に露出し、ほこりがたまり易い。
【特許文献１】特開２００３−２９２２５２号公報
【考案の開示】
【考案が解決しようとする課題】
【０００３】
公知構造には以下の欠点があった。
1.使用者の操作が不適当であれば、ハブ本体全体が手で外へと引き出されるため、下    部線だけが引き出され、上部線は引き出されない状態となる。しかし、この状況    でもローラーは回転運動を持続するため、上部線は全てローラー上のコード収納    空間において繰り出されて絡まってしまい、コードが詰まり易い。特に使用者が    このような状態を回避しようとして無理に引き出そうとすると、しばしば未だ引    き出されていない上部線が引っかかってしまう。こうして上部線の絡まりを招き    、さらに力を入れて引くと、線材の破損或いはハブ構造の損壊を招く。
2.ハブを使用しない時も該ハブは露出し、しかも線材も露出しているため、圧迫され    或いは硬い物と接触し損壊し易い(バックの中に収納している時など)。
3.該ハブを電気製品（コンピュータサーバ或いはマウス或いはバッテリーチャージャ    ーなど）と電源間において使用する場合、或いは電気製品（コンピュータサーバ    など）と電気製品間においてコード接続のために使用する場合に、上、下部線材    がハブ中に収納される時（すなわち未使用状態）にも、同様に上記のような欠点    が発生する。またハブ全体が外部に露出し、ほこりがたまり易い。
本考案は上記構造の問題点を解決したハブ収容に用いる装置を提供するものである。
【課題を解決するための手段】
【０００４】
上記課題を解決するため、本考案は下記のハブ収容に用いる装置を提供する。
それは主にハブは台体の収容槽中に収納、固定され、上部線が引き出された時も、使用者はハブ本体をつかむ恐れはないため、人の手が不適当にハブ本体を操作する可能性を払拭し、またハブの圧迫による損壊を防止することができる。
本考案はさらにハブがコードを引き出された（或いはコードを収納した）状態である時、ハブ全体は固定台体中に収納され、ハブを使用していない時に外部に露出する、及びほこりがたまることを防止することができる。
すなわち、本考案はハブ、弾力を具え回転する回転ローラー体、一本の連続状信号線、収容槽を具えた台体を含み、
該ハブは主に左、右ケース体、該回転ローラー体及び軸部により構成し、
該ローラー体は該軸部を軸心とし回転し、少なくとも２個以上のＡ、Ｂコード収納ローラー面を具え、
該信号線は適当な部分に固定部を設置し、該固定部は該Ａ、Ｂコード収納ローラー面間の適当な位置を係合し、相互に反対方向の方式に該Ａ、Ｂコード収納ローラー面上においてコードを巻き取り、上、下部線を形成し、
該台体の収容槽内部には穿孔を具え、該下部線を穿出させ、該上、下部線は該Ａ、Ｂコード収納ローラー面において引き出され(或いは収納され)た後、該ハブは該収容槽中に収納され、露出しない状態で定位され、
上記構造において、該Ａコード収納ローラー面の直径Ｄは該Ｂコード収納ローラー面の直径ｄよりも大きく、
該Ａコード収納ローラー面の直径Ｄは該Ｂコード収納ローラー面の直径ｄと同様で、
該Ａコード収納ローラー面の直径Ｄは該Ｂコード収納ローラー面の直径ｄより小さく、該台体は直接マウスの出口端に設計し、該下部線の電気接続固定端はマウスの内部構造上に直接固定され、該上部線の外端はプラグ３３５に接続され、該ハブは該収容槽中
に収納され、
該台体はバッテリーチャージャーの内部（或いは出口端）に直接形成し、該収容槽の槽口は該バッテリーチャージャーの端部に位置し、該下部線の電気接続固定端は該バッテリーチャージャーの内部構造上に直接固定し、該上部線の外端プラグを接続し、ハブは該収容槽中に収納され、
該下部線の適当な部分を挟持体により該穿孔中において固定し、これにより、該下部線は固定端を具え、
該台体の後壁面には弾力クリップを設置し、該クリップにより衣服上に嵌設され、
該上部線の外端にはイヤホーンマイク（或いはイヤホーン）を接続し、該下部線の外端には端子プラグを接続し、
該上部線及び該下部線の外端にはそれぞれＵＳＢコネクタを接続し、
該回転ローラー体の内部の側凹槽中にはスプリングを接続し、該スプリングの内接続端は該軸部上に固定され、回転ローラー体は弾力部品を形成し、
該台体の側面には首下げ型ストラップを設置し、人の首後部に嵌設することを特徴とするハブ収容に用いる装置である。
【考案の効果】
【０００５】
上記のように、本考案のハブは台体の収容槽中に収納、固定され、上部線が引き出された時も、使用者はハブ本体を掴む恐れはないため、人の手が不適当にハブ本体を操作する可能性を払拭し、またハブの圧迫による損壊を防止することができる。
本考案はさらにハブがコードを引き出された（或いはコードを収納した）状態である時、ハブ全体は固定台体中に収納され、ハブを使用していない時に外部に露出する、及びほこりがたまることを防止することができる。
【考案を実施するための最良の形態】
【０００６】
図１、２に示すように、本考案は、ハブ１０、弾力を具え回転する回転ローラー体２０、一本の連続状信号線３０、収容槽５２を具えた台体５０からなる。
該ハブ１０は、左、右ケース体１２、１６、該回転ローラー体２０及び軸部１５により構成する。
該ローラー体２０は該軸部１５を軸心として回転し、少なくとも２個以上のＡ、Ｂコード収納ローラー面２２、２３を具える。
該信号線３０は、適当な部分に固定部３１を設け、該固定部３１は該Ａ、Ｂコード収納ローラー面２２、２３間の適当な位置に係合し、相互に反対方向に向けて該Ａ、Ｂコード収納ローラー面２２、２３上においてコードを巻き取り、上、下部線３３、３６を形成する。
該台体５０の収容槽５２内部には穿孔５４を具え、該下部線３６を引き出し、該上、下部線３３、３６は該Ａ、Ｂコード収納ローラー面２２、２３において引き出され(或いは収納され)た後、該ハブ１０は該収容槽５２中に収納され、露出しない状態で定位される。
【０００７】
図２に示すように、コードを引き出した状態において、該回転ローラー体２０のＡコード収納ローラー面２２の直径Ｄは、該Ｂコード収納ローラー面２３の直径ｄより大きい（すなわちＤ＞ｄ）。使用状態においては、クリップ５８を利用して人の衣服７０（ベルトなど）上に固定し、端子プラグ６２は携帯電話端末９０の信号出力端子９２に挿入接続する。
電話を着信した時、使用者は手でイヤホーンマイク６０（或いはイヤホーン）を取り、該上部線３３を引き出す。すると、該回転ローラー体２０は軸部１５を軸心として回転し、スプリング８０は伸張状態となり、該Ａ、Ｂコード収納ローラー面２２、２３は同軸であるため同時に回転する。このとき、該上部線３３が引き出された長さは、該下部線３６の自由に引き出される長さより長い（直径Ｄ＞ｄであるため）。
さらに該上、下部線３３、３６の引き出される過程において、該左、右ケース体１２、１６を含むハブ１０全体は、該収容槽５２から離れ外（上）へと移動する。その離れた間隔距離Ｌの大、小と二直径Ｄ：ｄの比の大、小は正比例する。二直径Ｄ：ｄ＝１：１である時、該上、下部線３３、３６が引き出される長さは同一で、間隔距離Ｌは最大である。
【０００８】
直径Ｄの値がもう一方の直径ｄより大きい場合に、特に該回転ローラー体２０が同一方向に回転する時、該上、下部線３３、３６が引き出される長さの比率、すなわち該上部線３３の引き出されるコードの長さは該下部線３６の自由に引き出される長さより長い（大きい）。該ハブ１０全体が該収容槽５２外に移動する間隔距離Ｌは直径Ｄ：ｄ＝１：１である時の間隔距離より小さい。そのため、ハブ１０全体が該収容槽５２中に収容される時（図３、４参照）、人が手で取り出し使用する場合に、人の手指は該イヤホーンマイク６０だけを掴み引き出すため、該ハブ１０本体全体を誤って取り出す恐れはなく、該上部線３３のみが上へと引き出される。しかも、該上部線３３が該Ａコード収納ローラー面２２において絡まる機会を低減させることができる。
【０００９】
次に図３、４に示すように、コードが完全に収納された状態では、該イヤホーンマイク６０の引く力から開放された後、該スプリング８０は弾力により收縮して巻取り方向の元の位置に戻るため該回転ローラー体２０は反対方向に回転し、該上部線３３及び該下部線３６はそれぞれ反対方向に該Ａ、Ｂコード収納ローラー面２２、２３中に巻き取られ収納される。この時も該ハブ１０は上から下へと該収容槽５２中に入り、コードが完全に収納されると共に該ハブ１０本体も完全に該収容槽５２中に収容される。こうして該ハブ１０は使用していない時には、該台体５０中に収納され、該ハブ１０の衣服７０上における露出を防止することができ、さらには該ハブ１０全体が該台体５０により保護され、外力により圧迫され損壊することを防止することができる。
【００１０】
続いて図２、３に示すように、本考案の別種の実施例では、該下部線３６の適当な箇所を挟持体３７により該穿孔５４中において固定する。これにより、該下部線３６は固定端３６１を具えることとなり、こうして該台体５０下方において露出する下部線３６′の長さを一定とした状態で該端子プラグ６２は携帯電話端末９０の信号出力端（孔）９２に挿入接続され、携帯電話端末９０信号の伝送を行うことができる。
また前記固定部３１の目的は、同一信号線３０上を該上、下部線３３、３６に区分することで、該固定部３１は該上、下部線３３、３６が限界点まで引き出される時の係合固定点である。
【００１１】
さらに、図６に示すように、本考案は首下げ型ストラップ１９により人の首に掛けることもできる。該実施例では該台体５０は人の胸の前にぶら下がり、手を用いて便利に該イヤホーンマイク６０を取り使用することができる。
また図７に示すように、本考案の台体５０は、マウス７５のコード出口端に直接形成し、下部線３６の接続固定端３６２は該マウス７５内部のハードウエア構造上に固定することができる。これにより、プラグ３３５が引き出された時、該上、下部線３３、３６はそれぞれ引き出され、該ハブ１０は該収容槽５２外に移動し、使用に供される。該プラグ３３５が引く力から開放されると、該上、下部線３３、３６は該ハブ１０中のＡ、Ｂコード収納ローラー面２２、２３中に巻き戻り、該ハブ１０は反対方向に該収容槽５２中に収納され、保護される。こうして使用者はプラグ３３５を引き出す時に、誤って該ハブ１０の本体をつかむことを防止する。
図８に示すように、本考案の台体５０はバッテリーチャージャー８５の内部（或いは外周囲縁）に直接形成し、下部線３６の接続固定端３６２は該バッテリーチャージャー８５内部のハードウェア構造上に固定することができる。これにより、プラグ３３５が引き出された時、該上、下部線３３、３６はそれぞれ引き出され、該ハブ１０は該収容槽５２外に移動し、使用に供される。該プラグ３３５の引く力が放たれると、該上、下部線３３、３６は該ハブ１０中のＡ、Ｂコード収納ローラー面２２、２３中に巻き戻り、該ハブ１０は反対方向に該収容槽５２中に収納され、保護される。こうして使用者はプラグ３３５を引き出す時に、誤って該ハブ１０の本体をつかむことを防止する。
【００１２】
図４、５に示すように、本考案のハブ１０の上、下部線３３、３６外端に接続するＵＳＢコネクタ６６において、該下部線３６は固定端３６１を具える。このため該ＵＳＢコネクタ６６は電気製品９５の信号接続ポート９５１に挿入接続され、該上部線３３が接続するＵＳＢコネクタ６６は外に引き出され、別の電気製品９６の信号接続ポート９６１に挿入接続される時、該上、下部線３３、３６はそれぞれ一定の長さ引き出され、該ハブ１０は該収容槽５２外に移動する。
図４に示すように、該上部線３３を引く力から開放されると、該上、下部線３３、３６は反対方向に回転ローラー体２０上に巻き戻り、該ハブ１０は該収容槽５２中に戻される。この時、該ハブ１０本体は該収容槽５２中に収納され、人が手を用いＵＳＢコネクタ６６時を取る時、該ハブ１０を？んでしまう可能性を徹底的に排除することができる。
【図面の簡単な説明】
【００１３】
【図１】本考案を携帯電話端末に実施した時のコードを引き出した状態の立体図である。
【図２】本考案を携帯電話端末に実施した時のコードを引き出した状態の断面図である。
【図３】本考案を携帯電話端末に実施した時のコードを収納した状態の断面図である。
【図４】本考案を二電気製品間に実施した時のコードを収納した状態の断面図である。
【図５】本考案を二電気製品間に実施した時のコードを引き出した状態の断面図である。
【図６】本考案と首下げ型ストラップが相互に接続する状態の立体図である。
【図７】本考案をマウスに実施する作動断面図である。
【図８】本考案をバッテリーチャージャーに実施する作動断面図である。
【符号の説明】
【００１４】
１０  ハブ
１２  左ケース体
１５  軸部
１６  右ケース体
１９  首下げ型ストラップ
２０  回転ローラー体
２１  側凹槽
２２  Ａコード収納ローラー面
２３  Ｂコード収納ローラー面
３０  信号線
３１  固定部
３３  上部線
３６、３６′  下部線
３７  挟持体
５０  台体
５２  収容槽
５４  穿孔
５８  クリップ
６０  イヤホーンマイク
６２  端子プラグ(コンセント）
６６  ＵＳＢコネクタ
７０  衣服
７５  マウス
８０  スプリング
８５  バッテリーチャージャー
９０  携帯電話端末
９２  信号出力端
９５、９６  電気製品
３６１  固定端
３３５  プラグ
３６２  固定端
９５１、９６１  接続ポート
Ｄ、ｄ  直径
Ｌ  間隔距離
【図１】
0003106207.tif 000003
【図２】
0003106207.tif 000004
【図３】
0003106207.tif 000005
【図４】
0003106207.tif 000006
【図５】
0003106207.tif 000007
【図６】
0003106207.tif 000008
【図７】
0003106207.tif 000009
【図８】
0003106207.tif 000010
【手続補正書】
【提出日】平成16年7月14日(2004.7.14)
【手続補正１】
【補正対象書類名】実用新案登録請求の範囲
【補正対象項目名】請求項１２
【補正方法】変更
【補正の内容】
【請求項１２】
前記台体の側面には首下げ型ストラップを設けて人の首後部に掛けられるようにしたことを特徴とする請求項１記載のコード巻取りリールのハブ収容に用いる装置。